(57)【要約】【課題】所定の記録媒体に記録する動画像のアスペクト比を統一する。【解決手段】ステップＳ２１で、DVD+RWディスクにアスペクト比が設定されているか判定され、設定されている場合、DVD+RWディスクに設定されているアスペクト比に対応するように、デジタルビデオカメラの各部が設定される。DVD+RWディスクにアスペクト比が設定されていない場合、アスペクト比の選択が促されて、選択されたアスペクト比がDVD+RWディスクに設定され、このアスペクト比に対応するように、デジタルビデオカメラの各部が設定される。これ以降、現在装着されているDVD+RWディスクに対するアスペクト比の変更操作が禁止される。本発明は、DVD+RWを+VRフォーマットで使用するデジタルビデオカメラ、ビデオレコーダに適用できる。【選択図】図５
2007180738.tif 000002
【特許請求の範囲】
【請求項１】
所定の記録フォーマットに従い、記録媒体に対して動画像のアスペクト比を１種類だけ設定する画像データ記録装置において、
前記記録媒体に前記アスペクト比が設定されているか否かを判定する判定手段と、
前記記録媒体に前記アスペクト比が設定されていないと判定された場合、前記記録媒体に設定するアスペクト比をユーザに選択させる選択手段と、
選択された前記アスペクト比を、前記所定の記録フォーマットで規定されている前記記録媒体の所定の領域に書き込む書き込み手段と、
前記記録媒体に前記アスペクト比が設定されていると判定された場合、前記記録媒体に設定されている前記アスペクト比を読み出す読み出し手段と、
前記記録媒体の所定の領域に書き込んだアスペクト比、または前記読み出されたアスペクト比に対応して、前記画像データ記録装置の各部を設定する設定手段と、
前記画像データ記録装置の各部に対して設定されたアスペクト比の変更を禁止する禁止手段と
を含む画像データ記録装置。
【請求項２】
動画像を撮像して、対応する画像データを生成する撮像手段を
さらに含む請求項１に記載の画像データ記録装置。
【請求項３】
前記選択手段は、操作画面を用いたGUI(Graphical User Interface)である
請求項１に記載の画像データ記録装置。
【請求項４】
前記記録媒体は、着脱可能である
請求項１に記載の画像データ記録装置。
【請求項５】
前記記録媒体は、DVD+RW（Digital Versatile Disc + ReWritable）であり、
前記所定の記録フォーマットは、DVD+VR（Video Recording）フォーマットである
請求項１に記載の画像データ記録装置。
【請求項６】
所定の記録フォーマットに従い、記録媒体に対して動画像のアスペクト比を１種類だけ設定する画像データ記録装置の画像データ記録方法において、
前記記録媒体に前記アスペクト比が設定されているか否かを判定し、
前記記録媒体に前記アスペクト比が設定されていないと判定された場合、前記記録媒体に設定するアスペクト比をユーザに選択させ、
選択された前記アスペクト比を、前記所定の記録フォーマットで規定されている前記記録媒体の所定の領域に書き込み、
前記記録媒体に前記アスペクト比が設定されていると判定された場合、前記記録媒体に設定されている前記アスペクト比を読み出し、
前記記録媒体の所定の領域に書き込んだアスペクト比、または前記読み出されたアスペクト比に対応して、前記画像データ記録装置の各部を設定し、
前記画像データ記録装置の各部に対して設定されたアスペクト比の変更を禁止する
ステップを含む画像データ記録方法。
【請求項７】
所定の記録フォーマットに従い、記録媒体に対して動画像のアスペクト比を１種類だけ設定する画像データ記録装置の制御用のプログラムであって、
前記記録媒体に前記アスペクト比が設定されているか否かを判定し、
前記記録媒体に前記アスペクト比が設定されていないと判定された場合、前記記録媒体に設定するアスペクト比をユーザに選択させ、
選択された前記アスペクト比を、前記所定の記録フォーマットで規定されている前記記録媒体の所定の領域に書き込み、
前記記録媒体に前記アスペクト比が設定されていると判定された場合、前記記録媒体に設定されている前記アスペクト比を読み出し、
前記記録媒体の所定の領域に書き込んだアスペクト比、または前記読み出されたアスペクト比に対応して、前記画像データ記録装置の各部を設定し、
前記画像データ記録装置の各部に対して設定されたアスペクト比の変更を禁止する
ステップを含む処理をコンピュータに実行させるプログラム。
【請求項８】
所定の記録フォーマットに従い、記録媒体に対して動画像のアスペクト比を１種類だけ設定する画像データ記録装置において、
前記記録媒体が初期化されていない場合、前記記録媒体に設定するアスペクト比をユーザに選択させる選択手段と、
選択された前記アスペクト比を、前記所定の記録フォーマットで規定されている前記記録媒体の所定の領域に書き込むとともに、前記記録媒体を初期化する書き込み手段と、
前記記録媒体の所定の領域に書き込んだアスペクト比に対応して、前記画像データ記録装置の各部を設定する設定手段と、
前記画像データ記録装置の各部に対して設定されたアスペクト比の変更を禁止する禁止手段と
を含む画像データ記録装置。
【請求項９】
所定の記録フォーマットに従い、記録媒体に対して動画像のアスペクト比を１種類だけ設定する画像データ記録装置の画像データ記録方法において、
前記記録媒体が初期化されていない場合、前記記録媒体に設定するアスペクト比をユーザに選択させ、
選択された前記アスペクト比を、前記所定の記録フォーマットで規定されている前記記録媒体の所定の領域に書き込むとともに、前記記録媒体を初期化し、
前記記録媒体の所定の領域に書き込んだアスペクト比に対応して、前記画像データ記録装置の各部を設定し、
前記画像データ記録装置の各部に対して設定されたアスペクト比の変更を禁止する
ステップを含む画像データ記録方法。
【請求項１０】
所定の記録フォーマットに従い、記録媒体に対して動画像のアスペクト比を１種類だけ設定する画像データ記録装置の制御用のプログラムであって、
前記記録媒体が初期化されていない場合、前記記録媒体に設定するアスペクト比をユーザに選択させ、
選択された前記アスペクト比を、前記所定の記録フォーマットで規定されている前記記録媒体の所定の領域に書き込むとともに、前記記録媒体を初期化し、
前記記録媒体の所定の領域に書き込んだアスペクト比に対応して、前記画像データ記録装置の各部を設定し、
前記画像データ記録装置の各部に対して設定されたアスペクト比の変更を禁止する
ステップを含む処理をコンピュータに実行させるプログラム。
【請求項１１】
所定の記録フォーマットに従い、記録媒体に対して動画像のアスペクト比を１種類だけ設定する画像データ記録装置において、
前記記録媒体に設定されている前記アスペクト比を読み出す読み出し手段と、
前記読み出されたアスペクト比に対応して、前記画像データ記録装置の各部を設定する設定手段と、
前記画像データ記録装置の各部に対して設定されたアスペクト比の変更を禁止する禁止手段と
を含む画像データ記録装置。
【請求項１２】
所定の記録フォーマットに従い、記録媒体に対して動画像のアスペクト比を１種類だけ設定する画像データ記録装置の画像データ記録方法において、
前記記録媒体に設定されている前記アスペクト比を読み出し、
前記読み出されたアスペクト比に対応して、前記画像データ記録装置の各部を設定し、
前記画像データ記録装置の各部に対して設定されたアスペクト比の変更を禁止する
ステップを含む画像データ記録方法。
【請求項１３】
所定の記録フォーマットに従い、記録媒体に対して動画像のアスペクト比を１種類だけ設定する画像データ記録装置の制御用のプログラムであって、
前記記録媒体に設定されている前記アスペクト比を読み出し、
前記読み出されたアスペクト比に対応して、前記画像データ記録装置の各部を設定し、
前記画像データ記録装置の各部に対して設定されたアスペクト比の変更を禁止する
ステップを含む処理をコンピュータに実行させるプログラム。
【発明の詳細な説明】
【技術分野】
【０００１】
本発明は、画像データ記録装置、画像データ記録方法、およびプログラムに関し、特に、１つの記録媒体に対して設定可能な動画像のアスペクト比が１種類に制限されているフォーマットに従って画像データを記録媒体に記録する画像データ記録装置、画像データ記録方法、およびプログラムに関する。
【背景技術】
【０００２】
動画像データを記録するための記録媒体としてDVD(Digital Versatile Disc)が普及しており、据え置き型のビデオレコーダに適用されるだけでなく、デジタルビデオカメラの記録媒体としても採用されている。
【０００３】
このDVDには、DVD-R(Recordable)，DVD+R，DVD-RW(ReWritable)，DVD+RW，DVD-RAMなど様々な種類があり、各種DVDに対して記録する動画像データの記録フォーマットにも様々な種類がある（例えば、特許文献１参照）。
【０００４】
例えば、DVD+RW（以下、DVD+RWディスクと称する）には、対応可能な記録フォーマットとしてDVD+RWレコーディングフォーマット（あるいはDVD+VRフォーマット。以下、+VRフォーマットと称する）が存在する。
【０００５】
+VRフォーマットでは、１枚のDVD+RWディスクに対して、その所定の領域に動画像のアスペクト比を１種類だけ記録する（具体的には、１６：９または４：３を示す情報を記録する）ように規定されている。すなわち、アスペクト比の異なる複数の動画像データが１枚のディスクの中に記録できないように規定されている。
【０００６】
ただし、従来においても、DVD+RWディスクに+VRフォーマットに従いつつ複数の動画像データ（以下、各動画像データをチャプタと称する）を記録するとき、各チャプタの属性情報として、当該DVD+RWディスクに対して設定したアスペクト比とは異なっていてもよいアスペクト比を記録するようにした装置が存在する。当該装置によってチャプタ毎にアスペクト比が記録された当該DVD+RWディスクは、当該装置で再生する場合に限り、各チャプタが記録時のアスペクト比で正確に再現することができる。しかしながら、当該DVD+RWディスクは、互換性が保証されていない。すなわち、当該装置以外の再生装置で再生した場合、各チャプタが記録時のアスペクト比で正確に再現されないことが起こり得る。
【０００７】
一方、例えば、DVD-RW（以下、DVD-RWディスクと称する）には、対応可能な記録フォーマットとしてDVD-VIDEOフォーマット（以下、VIDEOフォーマットと称する）とDVDビデオレコーディングフォーマット（以下、-VRフォーマットと称する）が存在する。
【０００８】
VIDEOフォーマットと+VRフォーマットでは、１枚のDVD-RWディスクに複数のチャプタを記録するとき、チャプタ毎にアスペクト比を記録するように規定されている。
【０００９】
【特許文献１】特開２００２−５００４０号公報
【発明の開示】
【発明が解決しようとする課題】
【００１０】
したがって、記録媒体としてDVD+RWディスクやDVD-RWディスクを選択的に使用できる画像データ記録装置には、使用するディスクの種類に応じ、+VRフォーマット、-VRフォーマット、あるいはVIDEOフォーマットに準じた記録を行なう必要がある。
【００１１】
具体的には、DVD+RWディスクに+VRフォーマットで動画像データを記録する場合には、ディスクに対してアスペクト比を設定する仕組みと各チャプタのアスペクト比を統一する仕組みが必要であり、-VRフォーマットあるいはVIDEOフォーマットで動画像データを記録する場合には、各チャプタ毎にアスペクト比を設定できる仕組みが必要である。
【００１２】
本発明はこのような状況に鑑みてなされたものであり、所定の記録媒体に記録する動画像のアスペクト比を統一できるようにするものである。
【課題を解決するための手段】
【００１３】
本発明の第１の側面である画像データ記録装置は、所定の記録フォーマットに従い、記録媒体に対して動画像のアスペクト比を１種類だけ設定する画像データ記録装置において、前記記録媒体に前記アスペクト比が設定されているか否かを判定する判定手段と、前記記録媒体に前記アスペクト比が設定されていないと判定された場合、前記記録媒体に設定するアスペクト比をユーザに選択させる選択手段と、選択された前記アスペクト比を、前記所定の記録フォーマットで規定されている前記記録媒体の所定の領域に書き込む書き込み手段と、前記記録媒体に前記アスペクト比が設定されていると判定された場合、前記記録媒体に設定されている前記アスペクト比を読み出す読み出し手段と、前記記録媒体の所定の領域に書き込んだアスペクト比、または前記読み出されたアスペクト比に対応して、前記画像データ記録装置の各部を設定する設定手段と、前記画像データ記録装置の各部に対して設定されたアスペクト比の変更を禁止する禁止手段とを含む。
【００１４】
動画像を撮像して、対応する画像データを生成する撮像手段をさらに含むことができる。
【００１５】
前記選択手段は、操作画面を用いたGUIとすることができる。
【００１６】
前記記録媒体は、着脱可能とすることができる。
【００１７】
前記記録媒体は、DVD+RWであり、前記所定の記録フォーマットは、DVD+VRフォーマットとすることができる。
【００１８】
本発明の第１の側面である画像データ記録方法は、所定の記録フォーマットに従い、記録媒体に対して動画像のアスペクト比を１種類だけ設定する画像データ記録装置の画像データ記録方法において、前記記録媒体に前記アスペクト比が設定されているか否かを判定し、前記記録媒体に前記アスペクト比が設定されていないと判定された場合、前記記録媒体に設定するアスペクト比をユーザに選択させ、選択された前記アスペクト比を、前記所定の記録フォーマットで規定されている前記記録媒体の所定の領域に書き込み、前記記録媒体に前記アスペクト比が設定されていると判定された場合、前記記録媒体に設定されている前記アスペクト比を読み出し、前記記録媒体の所定の領域に書き込んだアスペクト比、または前記読み出されたアスペクト比に対応して、前記画像データ記録装置の各部を設定し、前記画像データ記録装置の各部に対して設定されたアスペクト比の変更を禁止するステップを含む。
【００１９】
本発明の第１の側面であるプログラムは、所定の記録フォーマットに従い、記録媒体に対して動画像のアスペクト比を１種類だけ設定する画像データ記録装置の制御用のプログラムであって、前記記録媒体に前記アスペクト比が設定されているか否かを判定し、前記記録媒体に前記アスペクト比が設定されていないと判定された場合、前記記録媒体に設定するアスペクト比をユーザに選択させ、選択された前記アスペクト比を、前記所定の記録フォーマットで規定されている前記記録媒体の所定の領域に書き込み、前記記録媒体に前記アスペクト比が設定されていると判定された場合、前記記録媒体に設定されている前記アスペクト比を読み出し、前記記録媒体の所定の領域に書き込んだアスペクト比、または前記読み出されたアスペクト比に対応して、前記画像データ記録装置の各部を設定し、前記画像データ記録装置の各部に対して設定されたアスペクト比の変更を禁止するステップを含む処理をコンピュータに実行させる。
【００２０】
本発明の第２の側面である画像データ記録装置は、所定の記録フォーマットに従い、記録媒体に対して動画像のアスペクト比を１種類だけ設定する画像データ記録装置において、前記記録媒体が初期化されていない場合、前記記録媒体に設定するアスペクト比をユーザに選択させる選択手段と、選択された前記アスペクト比を、前記所定の記録フォーマットで規定されている前記記録媒体の所定の領域に書き込むとともに、前記記録媒体を初期化する書き込み手段と、前記記録媒体の所定の領域に書き込んだアスペクト比に対応して、前記画像データ記録装置の各部を設定する設定手段と、前記画像データ記録装置の各部に対して設定されたアスペクト比の変更を禁止する禁止手段とを含む。
【００２１】
本発明の第２の側面である画像データ記録方法は、所定の記録フォーマットに従い、記録媒体に対して動画像のアスペクト比を１種類だけ設定する画像データ記録装置の画像データ記録方法において、前記記録媒体が初期化されていない場合、前記記録媒体に設定するアスペクト比をユーザに選択させ、選択された前記アスペクト比を、前記所定の記録フォーマットで規定されている前記記録媒体の所定の領域に書き込むとともに、前記記録媒体を初期化し、前記記録媒体の所定の領域に書き込んだアスペクト比に対応して、前記画像データ記録装置の各部を設定し、前記画像データ記録装置の各部に対して設定されたアスペクト比の変更を禁止するステップを含む。
【００２２】
本発明の第２の側面であるプログラムは、所定の記録フォーマットに従い、記録媒体に対して動画像のアスペクト比を１種類だけ設定する画像データ記録装置の制御用のプログラムであって、前記記録媒体が初期化されていない場合、前記記録媒体に設定するアスペクト比をユーザに選択させ、選択された前記アスペクト比を、前記所定の記録フォーマットで規定されている前記記録媒体の所定の領域に書き込むとともに、前記記録媒体を初期化し、前記記録媒体の所定の領域に書き込んだアスペクト比に対応して、前記画像データ記録装置の各部を設定し、前記画像データ記録装置の各部に対して設定されたアスペクト比の変更を禁止するステップを含む処理をコンピュータに実行させる。
【００２３】
本発明の第３の側面である画像データ記録装置は、所定の記録フォーマットに従い、記録媒体に対して動画像のアスペクト比を１種類だけ設定する画像データ記録装置において、前記記録媒体に設定されている前記アスペクト比を読み出す読み出し手段と、前記読み出されたアスペクト比に対応して、前記画像データ記録装置の各部を設定する設定手段と、前記画像データ記録装置の各部に対して設定されたアスペクト比の変更を禁止する禁止手段とを含む。
【００２４】
本発明の第３の側面である画像データ記録方法は、所定の記録フォーマットに従い、記録媒体に対して動画像のアスペクト比を１種類だけ設定する画像データ記録装置の画像データ記録方法において、前記記録媒体に設定されている前記アスペクト比を読み出し、前記読み出されたアスペクト比に対応して、前記画像データ記録装置の各部を設定し、前記画像データ記録装置の各部に対して設定されたアスペクト比の変更を禁止するステップを含む。
【００２５】
本発明の第３の側面であるプログラムは、所定の記録フォーマットに従い、記録媒体に対して動画像のアスペクト比を１種類だけ設定する画像データ記録装置の制御用のプログラムであって、前記記録媒体に設定されている前記アスペクト比を読み出し、前記読み出されたアスペクト比に対応して、前記画像データ記録装置の各部を設定し、前記画像データ記録装置の各部に対して設定されたアスペクト比の変更を禁止するステップを含む処理をコンピュータに実行させる。
【００２６】
本発明第１の側面においては、記録媒体にアスペクト比が設定されているか否かが判定され、設定されていないと判定された場合、記録媒体に設定するアスペクト比がユーザに選択され、選択されたアスペクト比が所定の記録フォーマットで規定されている記録媒体の所定の領域に書き込まれる。反対に、記録媒体にアスペクト比が設定されていると判定された場合、設定されているアスペクト比が読み出される。そして、記録媒体の所定の領域に書き込んだアスペクト比、または読み出されたアスペクト比に対応して、画像データ記録装置の各部が設定され、設定されたアスペクト比の変更が禁止される。
【００２７】
本発明第２の側面においては、記録媒体が初期化されていない場合、記録媒体に設定するアスペクト比がユーザに選択され、選択されたアスペクト比が所定の記録フォーマットで規定されている記録媒体の所定の領域に書き込まれるとともに、記録媒体が初期化される。さらに、記録媒体の所定の領域に書き込んだアスペクト比に対応して、画像データ記録装置の各部が設定され、設定されたアスペクト比の変更が禁止される。
【００２８】
本発明第３の側面においては、記録媒体に設定されている前記アスペクト比が読み出され、読み出されたアスペクト比に対応して、画像データ記録装置の各部が設定され、設定されたアスペクト比の変更が禁止される。
【発明の効果】
【００２９】
以上のように、本発明の第１の側面によれば、所定の記録媒体に記録する動画像のアスペクト比を、記録媒体にアスペクト比が未設定である場合にはユーザが選択したアスペクト比に、また記録媒体にアスペクト比が設定済である場合には設定済のアスペクト比に統一することが可能となる。
【００３０】
本発明の第２の側面によれば、所定の記録媒体に記録する動画像のアスペクト比をユーザが選択したアスペクト比に統一することが可能となる。
【００３１】
本発明の第３の側面によれば、所定の記録媒体に記録する動画像のアスペクト比を、記録媒体にアスペクト比が未設定である場合にはユーザが選択したアスペクト比に、また記録媒体にアスペクト比が設定済である場合には設定済のアスペクト比に統一することが可能となる。
【発明を実施するための最良の形態】
【００３２】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３３】
本発明の第１の側面である画像データ記録装置（例えば、図１のデジタルビデオカメラ１）は、記録媒体に前記アスペクト比が設定されているか否かを判定する判定手段（例えば、図５のステップＳ２１を行う図１のアスペクト比設定部４１）と、前記記録媒体に前記アスペクト比が設定されていないと判定された場合、前記記録媒体に設定するアスペクト比をユーザに選択させる選択手段（例えば、図３のアスペクト比設定画面７１）と、選択された前記アスペクト比を、前記所定の記録フォーマットで規定されている前記記録媒体の所定の領域に書き込む書き込み手段（例えば、図５のステップＳ２４を行う図１のディスクインタフェース２３）と、前記記録媒体に前記アスペクト比が設定されていると判定された場合、前記記録媒体に設定されている前記アスペクト比を読み出す読み出し手段（例えば、図５のステップＳ２２を行う図１のディスクインタフェース２３）と、前記記録媒体の所定の領域に書き込んだアスペクト比、または前記読み出されたアスペクト比に対応して、前記画像データ記録装置の各部を設定する設定手段（例えば、図５のステップＳ２５を行う図１のアスペクト比設定部４１）と、前記画像データ記録装置の各部に対して設定されたアスペクト比の変更を禁止する禁止手段（例えば、図５のステップＳ２６を行う図１のアスペクト比設定部４１）とを含む。
【００３４】
動画像を撮像して、対応する画像データを生成する撮像手段（例えば、図１の撮像部１０）をさらに含むことができる。
【００３５】
本発明の第１の側面である画像データ記録方法およびプログラムは、記録媒体に前記アスペクト比が設定されているか否かを判定し（例えば、図５のステップＳ２１）、前記記録媒体に前記アスペクト比が設定されていないと判定された場合、前記記録媒体に設定するアスペクト比をユーザに選択させ（例えば、図５のステップＳ２３）、選択された前記アスペクト比を、前記所定の記録フォーマットで規定されている前記記録媒体の所定の領域に書き込み（例えば、図５のステップＳ２４）、前記記録媒体に前記アスペクト比が設定されていると判定された場合、前記記録媒体に設定されている前記アスペクト比を読み出し（例えば、図５のステップＳ２２）、前記記録媒体の所定の領域に書き込んだアスペクト比、または前記読み出されたアスペクト比に対応して、前記画像データ記録装置の各部を設定し（例えば、図５のステップＳ２５）、前記画像データ記録装置の各部に対して設定されたアスペクト比の変更を禁止する（例えば、図５のステップＳ２６）ステップを含む。
【００３６】
本発明の第２の側面である画像データ記録装置（例えば、図１のデジタルビデオカメラ１）は、記録媒体が初期化されていない場合、前記記録媒体に設定するアスペクト比をユーザに選択させる選択手段（例えば、図３のアスペクト比設定画面７１）と、選択された前記アスペクト比を、前記所定の記録フォーマットで規定されている前記記録媒体の所定の領域に書き込むとともに、前記記録媒体を初期化する書き込み手段（例えば、図２のステップＳ５を行う図１のディスクインタフェース２３）と、前記記録媒体の所定の領域に書き込んだアスペクト比に対応して、前記画像データ記録装置の各部を設定する設定手段（例えば、図５のステップＳ２５を行う図１のアスペクト比設定部４１）と、前記画像データ記録装置の各部に対して設定されたアスペクト比の変更を禁止する禁止手段（例えば、図５のステップＳ２６を行う図１のアスペクト比設定部４１）とを含む。
【００３７】
本発明の第２の側面である画像データ記録方法およびプログラムは、記録媒体が初期化されていない場合、前記記録媒体に設定するアスペクト比をユーザに選択させ（例えば、図２のステップＳ３）、選択された前記アスペクト比を、前記所定の記録フォーマットで規定されている前記記録媒体の所定の領域に書き込む（例えば、図２のステップＳ５）とともに、前記記録媒体を初期化し（例えば、図２のステップＳ６）、前記記録媒体の所定の領域に書き込んだアスペクト比に対応して、前記画像データ記録装置の各部を設定し（例えば、図５のステップＳ２５）、前記画像データ記録装置の各部に対して設定されたアスペクト比の変更を禁止する（例えば、図５のステップＳ２６）ステップを含む。
【００３８】
本発明の第３の側面である画像データ記録装置（例えば、図１のデジタルビデオカメラ１）は、記録媒体に設定されている前記アスペクト比を読み出す読み出し手段（例えば、図５のステップＳ２２を行う図１のディスクインタフェース２３）と、前記読み出されたアスペクト比に対応して、前記画像データ記録装置の各部を設定する設定手段（例えば、図５のステップＳ２５を行う図１のアスペクト比設定部４１）と、前記画像データ記録装置の各部に対して設定されたアスペクト比の変更を禁止する禁止手段（例えば、図５のステップＳ２６を行う図１のアスペクト比設定部４１）とを含む。
【００３９】
本発明の第３の側面である画像データ記録方法およびプログラムは、記録媒体に設定されている前記アスペクト比を読み出し（例えば、図５のステップＳ２２）、前記読み出されたアスペクト比に対応して、前記画像データ記録装置の各部を設定し（例えば、図５のステップＳ２５）、前記画像データ記録装置の各部に対して設定されたアスペクト比の変更を禁止する（例えば、図５のステップＳ２６）ステップを含む。
【００４０】
以下、本発明を適用した具体的な実施の形態について、図面を参照しながら詳細に説明する。
【００４１】
図１は、本発明の一実施の形態であるデジタルビデオカメラの構成例を示している。このデジタルビデオカメラ１は、動画像および静止画像を撮像し、その結果得られる画像データを記録媒体であるディスク５９に記録するものである。
【００４２】
デジタルビデオカメラ１は、主に、被写体を撮像して画像信号と対応する音声信号を取得する撮像部１０、画像信号と音声信号を符号化してディスク５９に記録し、また読み出して再生する記録再生処理部２０、および、撮像部１０と記録再生処理部２０を制御する制御部３０から構成される。
【００４３】
撮像部１０は、光学ブロック１１、カメラ制御部１２、信号変換部１３、撮像信号処理部１４、音声入力部１５、および音声信号処理部１６を備える。光学ブロック１１は、被写体を撮像するためのレンズ群、絞り調整機構、フォーカス調整機構、ズーム機構、シャッタ機構、フラッシュ機構、および、手ぶれ補正機構などを内蔵する。カメラ制御部１２は、制御部３０からの制御信号に従い、光学ブロック１１に対してズーム制御、シャッタ制御、および、露出制御などを行なうための制御信号を生成して光学ブロック１１に出力する。
【００４４】
信号変換部１３は、例えばCCD(Charge Coupled Device)あるいはCMOS(Complementary Metal-Oxide Semiconductor)などの撮像素子より成り、その結像面に、光学ブロック１１を介して入力される被写体の光学像が集束される。この信号変換部１３は、シャッタ操作に対応して制御部３０から供給される画像取り込みタイミング信号に従い、結像面に集束されている被写体の光学像を電気信号である撮像信号に変換し、撮像信号処理部１４に出力する。
【００４５】
撮像信号処理部１４は、制御部３０からの制御信号に従い、撮像信号に対するガンマ補正やAGC（Auto Gain Control）などの処理を行なうとともに、アナログの撮像信号をデジタル化する処理も行なう。音声入力部１５は、撮影時の被写体周辺の音声を収集して音声信号に変換し、音声信号処理部１６に出力する。音声信号処理部１６は、制御部３０からの制御信号に従い、音声信号に対する補正やAGCなどの処理を行なうとともに、アナログ信号である音声信号をデジタル化する処理も行なう。
【００４６】
記録再生処理部２０は、符号化／復号部２１、ディスクインタフェース(I/F)２３、出力処理部２４、バッファメモリ２５から構成される。
【００４７】
符号化／復号部２１は、制御部３０からの制御信号に従い、撮像信号処理部１４から入力される画像信号に対して、ホワイトバランス制御、露出補正制御、デジタルズーム倍率に応じた拡大制御などを行なうとともに、撮像部１０から入力される画像信号および音声信号を所定の方式（例えば、MPEG(Moving Picture Experts Group)2方式）で符号化し、その結果得られる符号化データをディスクインタフェース２３に出力する。また、符号化／復号回路２１は、ディスクインタフェース２３によってディスク５９から読み出される符号化データを復号し、その結果得られる画像信号および音声信号を出力処理部２４に供給する。
【００４８】
ディスクインタフェース２３は、制御部３０からの制御に対応し、符号化／復号部２１から入力される符号化データをディスク５９に記録する。また、ディスクインタフェース２３は、ディスク５９から圧縮データを読み出して符号化／復号部２１に供給する。出力処理部２４は、制御部３０からの制御により、符号化／復号部２１からの圧縮データを制御部３０や出力端子２７乃至２９に供給する。バッファメモリ２５は、例えばSDRAM(Synchronous Dynamic Random Access Memory)などから成り、符号化／復号部２１における符号化または復号のための作業領域として利用される。また、バッファメモリ２５は、符号化／復号部２１によって符号化された符号化データをディスクインタフェース２３に出力するまで待機させる待機領域としても使用される。
【００４９】
制御部３０は、CPU(Central Processing Unit)３１と、ROM(Read Only Memory)３３、RAM３４、操作入力部５１から入力される操作信号をCPU３１に中継する操作入力インタフェース３５、表示部５２を接続するための表示制御部３６、メモリカード５３を装着するためのメモリカードインタフェース３７、手ぶれ補正のために角速度を検出する角速度検出部３８、撮影時刻を取得するための時計部３９、ディスク５９のフォーマットを決定するフォーマット決定部４０、および、画像のアスペクト比を設定するアスペクト比設定部４１がシステムバス３２を介して接続されることにより構成されている。
【００５０】
CPU３１はROM３３に記録されている制御用プログラムを実行することにより、デジタルビデオカメラ１の全体を制御するものであり、作業領域としてRAM３４を使用する。ROM３３には、撮像部１０を制御するためのプログラムや、画像信号や音声信号の記録制御および再生制御などを実行するためのプログラムが予め書き込まれている。
【００５１】
メモリカードインタフェース３７は、符号化／復号部２１からの圧縮データをメモリカード５３に書き込む。また、メモリカードインタフェース３７は、メモリカード５３から圧縮データを読み出して符号化／復号部２１に供給する。時計部３９は、年、月、日、時間、分、秒などを表わす時間情報を生成する。
【００５２】
角速度検出部３８は、デジタルビデオカメラ１に対して外部から加わる角速度を検出するジャイロスコープを内蔵している。このジャイロスコープによって検出される角速度情報［ω＝（θ／秒）］は、所定間隔毎にCPU３１に通知され、光学ブロック１１の手ブレ補正機構の制御に利用される。
【００５３】
フォーマット決定部４０は、ディスクインタフェース２３に装着されたディスク５９がフォーマット済であるか否かを判定するとともに、未フォーマットである場合、ユーザからの選択に基づいてフォーマットの種類を決定する。アスペクト比設定部４１は、動画像および静止画像のアスペクト比を、ユーザによる選択や既にディスク５９に対して記録されている情報に基づいて設定する。
【００５４】
操作入力部５１には、撮影モードと再生モードなどの他のモードとを切り換えるモード切り換えキー、ズーム調整キー、露出調整のためのキー、静止画撮影用のシャッタキー、動画撮影用の録画キー、表示部５２における表示調整キー、表示部５２の画面上のカーソルを移動、決定させるキーなどの複数のキーが設けられており、ユーザによってキーが操作されたことに対応して操作信号を操作入力インタフェース３５に出力する。この操作信号は操作入力インタフェース３５によってCPU３１に中継され、CPU３１は、この操作信号に基づき、操作入力部５１においていずれのキーが操作されたかを判別し、その判別結果に応じた制御処理を行なう。
【００５５】
表示部５２は、例えばLCD(Liquid Crystal Display)などより成り、表示制御部３６を介して入力されるCPU３１の制御からの制御信号に基づき、撮像部１０の撮像信号処理部１４から出力される画像信号（スルー画像）や、ディスク５９から読み出された画像信号（再生画像）に対応する画像を表示する。なお、スルー画像や再生画像には、デジタルビデオカメラ１の状況(例えば、バッテリの残量、設定中のアスペクト比)を示すアイコンなどが重畳して表示される。また、表示部５２は、例えば、フォーマットの種類、アスペクト比の種類、録画モードの種類などをユーザが選択するための操作画面も表示する。
【００５６】
ディスク５９は、ディスクインタフェース２３に対して着脱可能な記録媒体であり、その種類としてはDVD-Rディスク、DVD-RWディスク、およびDVD+RWディスクが利用可能である。なお、このデジタルビデオカメラ１は、DVD+RWディスクに対しては+VRフォーマットで初期化することが可能であり、DVD-RWディスクに対しては-VRフォーマットまたはVIDEOフォーマットで初期化することが可能である。DVD-Rディスクに対する初期化は不要である。
【００５７】
次に、デジタルビデオカメラ１の動作を説明する。
【００５８】
図２は、デジタルビデオカメラ１によるアスペクト比統一処理を説明するフローチャートである。このアスペクト比統一処理は、ディスクインタフェース２３によってディスク５９の装着が認識されたときに開始される。
【００５９】
ステップＳ１において、フォーマット決定部４０は、装着されたディスク５９がフォーマット済であるか否かを判定する。フォーマット済ではないと判定された場合、処理をステップＳ２に進める。反対に、装着されたディスク５９がフォーマット済であると判定された場合、処理はステップＳ７に進められる。
【００６０】
ステップＳ２において、フォーマット決定部４０は、装着されたディスク５９の種類を識別する。ディスク５９がDVD+RWディスクであると識別された場合、処理はステップＳ３に進む。ステップＳ３において、記録する動画のアスペクト比の選択がユーザに対して促され、ステップＳ４において、CPU３１は、アスペクト比の選択が行われたか否かを判断する。具体的には、例えば、図３に示されるアスペクト比設定画面７１に対応する画像信号がCPU３１から表示制御部３６を介して表示部５２に供給され、その画像が表示部５２に表示される。アスペクト比設定画面７１には、「１６：９ワイド」ボタン７２および「４：３」ボタン７３が設けられており、ユーザはどちらかのボタンを選択することにより、当該画面上においてDVD+RWディスクであるディスク５９に対して設定するアスペクト比を選択することができる。
【００６１】
なお、図３に示されたアスペクト比設定画面７１の代わりに、図４に示されるアスペクト比設定画面８１を表示するようにしてもよい。アスペクト比設定画面８１には、「１６：９ワイド」ボタン８２および「４：３」ボタン８３が設けられており、ユーザはどちらかのボタンを選択することにより、当該画面上においてDVD+RWディスクであるディスク５９に対して設定するアスペクト比を選択することができる。さらに、アスペクト比設定画面８１には、「後できめる」ボタン８４が設けられており、ユーザは当該ボタン８４を選択することにより、アスペクト比の選択を以降に先送りすることができる。
【００６２】
ステップＳ４において、アスペクト比の選択が行われたと判定された場合、処理はステップＳ５に進む。なお、ステップＳ３の処理で図４のアスペクト比設定画面８１が表示され、「後できめる」ボタン８４がユーザにより選択された場合、ステップＳ５の処理はスキップされる。
【００６３】
ステップＳ５において、アスペクト比設定部４１は、ユーザによって選択されたアスペクト比をディスクインタフェース２３に通知する。この通知に基づき、ディスクインタフェース２３は、DVD+RWディスクであるディスク５９の所定の領域（+VRフォーマットで規定されている）にアスペクト比を示す情報を記録する。
【００６４】
ステップＳ６において、フォーマット決定部４０は、+VRフォーマットで初期化することをディスクインタフェース２３に通知する。この通知に基づき、ディスクインタフェース２３は、DVD+RWディスクであるディスク５９を+VRフォーマットに従って初期化する。
【００６５】
ステップＳ６の処理を経たことにより、DVD+RWディスクであるディスク５９がフォーマット済となり、ステップＳ７のフォーマット済ディスク対処処理が行われる。なお、ステップＳ６の処理が終了した段階で、ディスクインタフェース２３からディスク５９を取り出すことができる。
【００６６】
一方、ステップＳ２において、ディスク５９がDVD-RWディスクであると識別された場合、処理はステップＳ８に進む。ステップＳ８において、DVD-RWディスクであるディスク５９のフォーマット（VIDEOフォーマットまたは-VRフォーマット）の選択がユーザに対して促され、ユーザによるフォーマットの選択が行われたことに対応し、ステップＳ９において、フォーマット決定部４０は、ユーザによって選択されたフォーマットで初期化することをディスクインタフェース２３に通知する。この通知に基づき、ディスクインタフェース２３は、DVD-RWディスクであるディスク５９をVIDEOフォーマットまたは-VRフォーマットに従って初期化する。ステップＳ９の処理を経たことにより、DVD-RWディスクであるディスク５９がフォーマット済となる。DVD-RWディスクは、記録するチャプタのアスペクト比を統一する必要がないので、このアスペクト比統一処理は終了される。
【００６７】
また、ステップＳ２において、ディスク５９がDVD-Rディスクであると識別された場合、DVD-Rディスクは初期化が不要であり、記録するチャプタのアスペクト比を統一する必要がないので、このアスペクト比統一処理は終了される。
【００６８】
ステップＳ７におけるフォーマット済ディスク対処処理について、図５のフローチャートを参照して説明する。上述した説明から明らかなように、このフォーマット済ディスク対処処理は、DVD+RWディスクであるディスク５９に対してのみ実行される。以下、DVD+RWディスクであるディスク５９を、DVD+RWディスク５９とも称する。
【００６９】
ステップＳ２１において、アスペクト比設定部４１は、装着されているDVD+RWディスク５９にアスペクト比が設定されているか否か（+VRフォーマットで規定されている所定の領域にアスペクト比を示す情報が記録されているか否か）を判定し、DVD+RWディスク５９にアスペクト比が設定されていると判定した場合、処理をステップＳ２２に進める。ステップＳ２２において、アスペクト比設定部４１は、ディスクインタフェース２３を制御して、DVD+RWディスク５９の所定の領域に記録されているアスペクト比を示す情報を読み出し、処理はステップＳ２５に進められる。
【００７０】
一方、ステップＳ２１において、装着されているDVD+RWディスク５９にアスペクト比が設定されていないと判定された場合、処理はステップＳ２３に進められる。ステップＳ２３において、上述したステップＳ３と同様、記録する動画のアスペクト比の選択がユーザに対して促される。そして、ユーザによってアスペクト比の選択が行われたことに対応し、ステップＳ２４において、アスペクト比設定部４１は、ユーザによって選択されたアスペクト比をディスクインタフェース２３に通知する。この通知に基づき、ディスクインタフェース２３は、DVD+RWディスク５９の所定の領域（+VRフォーマットで規定されている）にアスペクト比を示す情報を記録する。この後、処理はステップＳ２５に進められる。
【００７１】
ステップＳ２５において、アスペクト比設定部４１は、デジタルビデオカメラ１の各部を、DVD+RWディスク５９に記録されている（あるいは、記録した）アスペクト比に対応するように設定する。ステップＳ２６において、アスペクト比設定部４１は、現在装着されているDVD+RWディスク５９に対するアスペクト比の変更操作を禁止する。具体的には、アスペクト比の変更を指示するため、例えば、ユーザによって所定のキーが操作されたり、あるいは所定の設定画面を用いた操作が行われたりした場合、表示部９１に図６に示すようなコーション画面９１を表示させてアスペクト比の変更ができない旨をユーザに通知する。なお、コーション画面９１を表示させる代わりに、あるいはコーション画面９１とともに音声を発生するようにしてもよい。以上でフォーマット済ディスク対処処理が終了される。
【００７２】
以上説明したアスペクト比統一処理（フォーマット済ディスク対処処理を含む）によれば、DVD+RWディスク５９が装着された場合、当該DVD+RWディスク５９に記録される動画像の各チャプタのアスペクト比が、フォーマット時の選択（ステップＳ３）、あるいは一番初めのチャプタを記録する時の選択（ステップＳ２３）に統一される。したがって、当該DVD+RWディスク５９の互換性が保証され、当該DVD+RWディスク５９をデジタルビデオカメラ１以外の機器で再生しても、その画像のアスペクト比が正確に再現される。
【００７３】
なお、本発明は、ビデオカメラだけでなく、DVD+RWディスクを+VRフォーマットで初期化して用いるビデオレコーダなどにも適用することが可能である。
【００７４】
本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００７５】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【００７６】
なお、本発明の実施の形態は、上述した実施の形態に限定されるものではなく、本発明の要旨を逸脱しない範囲において種々の変更が可能である。
【図面の簡単な説明】
【００７７】
【図１】本発明を適用したデジタルビデオカメラの構成例を示すブロック図である。
【図２】アスペクト比統一処理を説明するフローチャートである。
【図３】アスペクト比設定画面の表示例を示す図である。
【図４】アスペクト比設定画面の表示例を示す図である。
【図５】フォーマット済ディスク対処処理を説明するフローチャートである。
【図６】コーション画面の表示例を示す図である。
【符号の説明】
【００７８】
１  デジタルビデオカメラ，  １０  撮像部，  １１  光学ブロック，  １２  カメラ制御部，  １３  信号変換部，  １４  撮像信号処理部，  １５  音声入力部，  １６  音声信号処理部，  ２０  記録再生処理部，  ２１  符号化／復号部，  ２３  ディスクインタフェース，  ２４  出力処理部，  ２５  バッファメモリ，  ２７乃至２９  出力端子，  ３０  制御部，  ３１  CPU，  ３２  システムバス，  ３３  ROM，  ３４  RAM，  ３５  操作入力インタフェース，  ３６  表示制御部，  ３７  メモリカードインタフェース，  ３８  角速度検出部，  ３９  時計部，  ４０  フォーマット決定部，  ４１  アスペクト比設定部，  ５１  操作入力部，  ５２  表示部，  ５３  メモリカード，  ５９  ディスク
【図１】
2007180738.tif 000003
【図２】
2007180738.tif 000004
【図３】
2007180738.tif 000005
【図４】
2007180738.tif 000006
【図５】
2007180738.tif 000007
【図６】
2007180738.tif 000008